(57)【要約】      （修正有）【課題】消費者が自宅にいる状態で冷蔵庫に収納されている食品の情報、当該食品の賞味期限、店舗で特売されている食品の情報等をもとにレシピを決定する。また、購入する食品に関する情報を店舗のメンバーズカードのＩＣカードや、移動端末のＩＣチップに記憶して活用することで、購入予定食品の購入忘れ防止や、必要以上の食品の購入防止、店舗での買い物時間の短縮を可能とする食品購入管理支援システムを提供する。【解決手段】冷蔵庫１１は、サーバ１３から冷蔵庫の食品情報をもとにレシピ情報を取得して、当該レシピ情報から店舗で購入する食品を決定する。購入する食品に関する情報は移動体記憶装置１２に書き込まれる。店舗１４のカート１５に設置されたＩＣチップリーダライタ２６に、購入食品が書込まれた移動体記憶装置１２を翳すと、カート１５のカート表示部２７に販売位置と購入食品が表示される。【選択図】図１
2008242911.tif 000002
【特許請求の範囲】
【請求項１】
食品を収納して保存する冷蔵庫と、
前記冷蔵庫とはネットワークを介して通信可能に接続されているサーバと、
購入する予定の食品に関する情報を記憶するための移動体記憶装置と、
前記移動体記憶装置に記憶されている食品に関する情報を読み取るＩＣチップリーダライタを有しており、店舗において食品を収納して運搬するカートと
を備える食品購入管理支援システムであって、
前記サーバは、前記食品毎のレシピ情報を管理するデータベース及び前記店舗で販売される食品に関する食品情報を管理するデータベースが登録されている記憶手段を備えており、
前記冷蔵庫は、
前記食品に付されているＲＦＩＤタグを読込むＲＦＩＤタグリーダライタと、
冷蔵庫に収納されている前記食品の情報を管理するデータベースと、
冷蔵庫に収納されている食品に基づいてレシピを決定して、前記店舗で購入する食品のデータを前記移動体記憶装置に書込むためのＩＣチップリーダライタと、
前記サーバから、前記食品の情報に基づいてレシピ情報を取得する取得手段と、
前記レシピ情報に基づいて前記店舗で購入する食品を決定する決定手段と
を備えていることを特徴とする食品購入管理支援システム。
【請求項２】
前記冷蔵庫は、
情報を表示する表示部と、
購入した食品を収納する際に、前記食品に付されているＲＦＩＤタグを読み取って、食品の情報を管理する情報管理手段と、
レシピの情報を前記表示部に表示する際、食品の賞味期限が短いものと、前記店舗で販売されている食品のうち、特価食品からなるレシピを優先的に表示する表示制御手段と
を更に備えることを特徴とする請求項１に記載の食品購入管理支援システム。
【請求項３】
前記冷蔵庫は、前記レシピ情報の検索を前記サーバへ要求し、レシピの情報をもとに、消費者が購入を予定する食品のデータを前記移動体記憶装置に読込ませて、該移動体記憶装置で購入予定食品に関するデータを管理するデータ管理手段を更に備えており、
前記カートは、
情報を表示するカート表示部と、
前記移動体記憶装置から前記購入予定食品に関するデータを読み取って、前記カート表示部に購入予定食品に関するデータを表示するカート表示制御手段と
を更に備えることを特徴とする請求項１又は請求項２に記載の食品購入管理支援システム。
【発明の詳細な説明】
【技術分野】
【０００１】
本発明は、ＩＣチップ、ＲＦＩＤ（Radio Frequency Identification）を利用して、食品の管理から、購入までを支援する食品購入管理支援システムに関するものである。
【背景技術】
【０００２】
ＩＣカードや移動端末、ＲＦＩＤに搭載されているＩＣチップの技術発達、コスト低減に伴い、近年、ＩＣカードや、ＲＦＩＤ等のＩＣチップが普及してきている。最近では、図書館の所有する本にＲＦＩＤタグを搭載して、本の在庫管理、貸し出し管理を行うシステムが行われている。また、コンビニエンスストア、スーパーマーケットなどにおいては、販売食品にＲＦＩＤタグを搭載して、買い物用カートに備えられたＩＣチップのリーダライタにＲＦＩＤタグを読み込ませると、該当食品のレシピを参照できる買い物ナビカートシステムがある。
【０００３】
買い物ナビカートシステムについて簡単に説明する。図１７に示すように、買い物ナビカートシステムは、食品が陳列されている食品棚８１にＲＦＩＤタグ８２が搭載されている。そして、ＲＦＩＤタグリーダライタ８３によって食品棚８１のＲＦＩＤタグが読み込まれと、レシピ情報取得部８４において読み込まれた食品情報をもとにレシピ情報記憶部８５から対象のレシピ情報を取得する。レシピ情報記憶部８５から取得されたレシピ情報はレシピ情報表示部８６に転送されて、買い物ナビカートに配設されているディスプレイ等の表示手段にレシピ情報が表示される。
【０００４】
さらには、買い物用カゴに入れられた食品のＲＦＩＤタグを一括で読込み、食品の合計金額を計算することで商品購入時間を短縮するというEXPRESS POSなどのサービス実証実験が行われている。
ここで、EXPRESS POSの概要について説明する。図１８に示すように、ＲＦＩＤタグの搭載されている食品群８６をＲＦＩＤタグリーダライタ８７に近接させると、ＲＦＩＤタグリーダライタ８７に近接されたすべての食品の各金額、および、食品名が合計金額計算部８８に送信される。合計金額計算部８８では、ＲＦＩＤタグリーダライタ８７から送信された各金額の合計を計算して合計金額表示部８９へと送信する。合計金額表示部８９では、各食品の金額、および、すべての食品の合計金額が表示される。
【０００５】
こうした技術を開示する文献としては、下記の公知技術文献がある。
【非特許文献１】経済産業省『日本版フューチャーストア・プロジェクト』（未来型店舗サービス実現のための電子タグ実証実験）
【発明の開示】
【発明が解決しようとする課題】
【０００６】
しかしながら、上述した買い物ナビカートでは、実際に店舗に行ったときに初めて、販売されている食品のレシピ情報を参照することができる。そのため、消費者としては、自宅に存在している食品の情報を考慮することはできない。したがって、消費者は、自宅の冷蔵庫に残っている食品を予め確認しておく必要がある。消費者としては、自宅の冷蔵庫に残っている食品を確認する際に、レシピを考えて、購入する食品を決定してから店舗に行く事が多い。
【０００７】
店舗に行った際に購入する食品を変更する、もしくは新しく食品を購入するといった場合には、その店舗で特売の食品が存在したりするときが多い。そのため、当初購入予定のない食品を購入するため、自宅の冷蔵庫にある食品を利用せずに、賞味期限切れとなり、捨てなければならないこともある。また、消費者は、自宅の冷蔵庫に残っている食品を確認しても、店舗に行って購入する食品を忘れてしまい、再度、店舗まで戻って購入しなければならないこともある。
【０００８】
本発明の目的は、消費者が自宅にいる状態で冷蔵庫に収納されている食品の情報、当該食品の賞味期限、店舗で特売されている食品の情報等をもとにレシピを決定する。また、購入する食品に関する情報を店舗のメンバーズカードのＩＣカードや、移動端末のＩＣチップに記憶して活用することで、購入予定食品の購入忘れ防止や、必要以上の食品の購入防止、店舗での買い物時間の短縮を可能とする食品購入管理支援システムを提供することである。
【課題を解決するための手段】
【０００９】
上記目的を達成するために、本発明の食品購入管理支援システムは、食品を収納して保存する冷蔵庫と、前記冷蔵庫とはネットワークを介して通信可能に接続されているサーバと、購入する予定の食品に関する情報を記憶するための移動体記憶装置と、前記移動体記憶装置に記憶されている食品に関する情報を読み取るＩＣチップリーダライタを有しており、店舗において食品を収納して運搬するカートとを備える食品購入管理支援システムであって、前記サーバは、前記食品毎のレシピ情報を管理するデータベース及び前記店舗で販売される食品に関する食品情報を管理するデータベースが登録されている記憶手段を備えており、前記冷蔵庫は、前記食品に搭載されているＲＦＩＤタグを読込むＲＦＩＤタグリーダライタと、冷蔵庫に収納されている前記食品の情報を管理するデータベースと、冷蔵庫に収納されている食品に基づいてレシピを決定して、前記店舗で購入する食品のデータを前記移動体記憶装置に書込むためのＩＣチップリーダライタと、前記サーバから、前記食品の情報に基づいてレシピ情報を取得する取得手段と、前記レシピ情報に基づいて前記店舗で購入する食品を決定する決定手段とを備えていることを特徴とする。
【発明の効果】
【００１０】
本発明の食品購入管理支援システムによれば、次のような効果がある。
・冷蔵庫の食品、食品の賞味期限、店舗の特売食品情報に基づいて適切なレシピを選択することができる。
・購入したい食品を消費者の自宅で決定し、ＩＣカード、または移動端末のＩＣチップ等に記憶させて、カートと連動させることにより、購入予定である食品の購入忘れを防止することができるとともに、購入食品の陳列場所へ誘導するため、消費者の購入時間を短縮することができる。また、事前に予定している食品以外を購入することが少なくなり、賞味期限切れ等の食品を減らすことができる。
【発明を実施するための最良の形態】
【００１１】
以下、本発明を適用した食品購入管理支援システムの一実施形態について説明する。
図１に示すように、本実施形態における食品購入管理支援システムには、家庭に設置されている冷蔵庫１１、移動体記憶装置１２、サーバ１３、店舗１４に備えられているカート１５を含んで構成されている。冷蔵庫１１及びサーバ１３は、ネットワークとしてのインターネット１６を介して相互に通信可能に接続されている。
【００１２】
冷蔵庫１１は購入された食品を冷蔵及び管理するものである。当該冷蔵庫１１には、収納されている食品に搭載されているＲＦＩＤタグ１７を読込むＲＦＩＤタグリーダライタ１８、読込まれた食品を管理する購入食品管理データベース（以下、「購入食品管理ＤＢ」ともいう。）が記憶されている記憶手段としての購入食品管理部１９、食品に関する情報を表示する表示部２０、移動体記憶装置１２に食品に関するデータを書込むためのＩＣチップリーダライタ２１が備えられている。
【００１３】
移動体記憶装置１２は、具体的にはＩＣチップ２２が搭載されているＩＣカード２３である。ＩＣチップ２２には、冷蔵庫１１で選択された購入予定である食品に関するデータが記憶される。ＩＣカード２３は、店舗１４のメンバーズカードとしてポイントサービス等にも利用されることが想定されている。
【００１４】
サーバ１３には、店舗１４で販売される食品に関する情報が管理されている食品管理データベース（以下、「食品管理ＤＢ」ともいう。）と、レシピに関する情報が記憶管理されているレシピ管理データベース（以下、「レシピ管理ＤＢ」ともいう。）とが記憶されている管理ＤＢ記憶部２４が備えられている。サーバ１３からは、インターネット１６を介して冷蔵庫１１へ食品に関する各種情報やレシピに関する情報等が送信される。
【００１５】
カート１５は、食品の包装等に付されているＲＦＩＤタグ１７を読込むためのＲＦＩＤタグリーダライタ２５と、購入が予定されている食品に関するデータが記憶されている移動体記憶装置１２から食品に関するデータを読込むためのＩＣチップリーダライタ２６と、購入予定である食品の販売配置場所等が表示されるカート表示部２７とを含んで構成されている。
【００１６】
次に、冷蔵庫１１の購入食品管理部１９に記憶されている購入食品管理ＤＢのデータ構成図について説明する。図２に示すように、購入食品管理ＤＢは、キー３１、食品ＩＤ３２と、食品名３３、YYYYMMDD形式で表現されている賞味期限３４、食品の個数３５で構成される。
【００１７】
ここで、キー３１は、食品ＩＤ３２と賞味期限３４とが連結されたデータ構造となっている。例えば、同じ食品名３３で賞味期限３４の異なる食品が存在する場合には、レシピに関する情報が選択される際に、賞味期限の近いものが優先的に検索されるように構成されている。そのため、購入食品管理ＤＢとしては、別のデータとして管理される必要がある。したがって、キー３１は、食品ＩＤ３２と賞味期限３４とが連結されたデータ構造となっているのである。
【００１８】
次に、店舗１４で販売されている食品の包装等に付されているＲＦＩＤタグのデータ構成について説明する。図３に示すように、食品に搭載されているＲＦＩＤタグ１７には、食品ＩＤ３２、食品名３３、賞味期限３４、収納フラグ３６に関する情報が記憶されている。
次に、購入された食品の包装等に付されているＲＦＩＤタグのデータ構成について説明する。図４に示すように、ＲＦＩＤタグ１７には、食品ＩＤ３２、食品名３３、賞味期限３４、収納フラグ３６に関する情報が記憶されている。
【００１９】
図３に示すＲＦＩＤタグ１７に記憶されている情報と図４に示すＲＦＩＤタグ１７に記憶されている情報との違いは、食品が冷蔵庫１１に記憶されているか否かで収納フラグ３６の値が異なるという点である。例えば、食品が冷蔵庫１１に記憶される前、すなわち店舗１４で販売されている状態のときには、収納フラグ３６の値は０（未記憶）となっている。そして、冷蔵庫１１に当該食品が収納される際に、冷蔵庫１１に備えられているＲＦＩＤタグリーダライタ１８によって、収納フラグ３６の値が１（記憶）に更新される。また、冷蔵庫１１から食品が取り出された場合には、収納フラグ３６はＲＦＩＤタグリーダライタ１８によって０に更新される。
【００２０】
次に、移動体記憶装置１２であるＩＣカード２３に記憶されるデータの構成について説明する。図５に示すように、ＩＣカード２３には、食品ＩＤ３２、食品名３３、商品の個数３５に関する情報が記憶されている。例えば、レシピで必要な食品が存在する場合には、ＩＣカード２３のＩＣチップ２２に購入する食品の食品ＩＤ３２、食品名３３、個数３５が記憶される。
【００２１】
次に、サーバ１３内の食品管理ＤＢに記憶されるデータの構成について説明する。図６に示すように、食品管理ＤＢには、食品ＩＤ３２、食品名３３、価格３７、特売フラグ３８に関する情報が記憶されている。例えば、ある店舗１４で国産和牛が特売される場合には、特売フラグ３８が１に設定される。この特売フラグ３８によって、レシピ管理ＤＢにおけるレシピに関する情報の整列の際に、特売フラグに１が設定されているものが多いレシピの情報が上位に整列される。
【００２２】
次に、サーバ１３のレシピ管理ＤＢに記憶されるデータの構成について説明する。図７に示すように、レシピ管理ＤＢには、食品ＩＤ３２、レシピ３９、使用食品ＩＤ４０−１〜使用食品ＩＤ４０−ｎに関する情報が記憶されている。例えば、冷蔵庫１１に収納されている食品が豆腐である場合には、豆腐の食品ＩＤ３２に対応するレシピの情報がすべてレシピ管理ＤＢから取得される。そして、各レシピで必要な豆腐以外の食品が使用食品ＩＤ４０−１〜使用食品ＩＤ４０−ｎに設定される。
【００２３】
次に、このように構成されている食品購入管理支援システムを用いて食品管理を行う方法について説明する。なお、以下の処理は所定のプログラム等に基づいて、取得手段及び決定手段を兼任する図示しないＣＰＵによる制御のもとで実行される。
まず、冷蔵庫１１への食品に関する情報の記憶、及び取り出しの概要について説明する。図８に示すように、まず、食品の包装等に付されているＲＦＩＤタグ１７がＲＦＩＤタグリーダライタ１８に近接したか否かが判定される（ステップＳ８０１）。
【００２４】
ＲＦＩＤタグ１７がＲＦＩＤタグリーダライタ１８に近接したと判断された場合には、ＲＦＩＤタグリーダライタ１８によってＲＦＩＤタグ１７の情報が読み取られて、図３に示す食品ＩＤ３２、食品名３３、賞味期限３４、収納フラグ３６に関する各情報が取得される（ステップＳ８０２）。次に、購入食品管理ＤＢにおけるキー３１が、食品ＩＤ３２と賞味期限３４とに基づいて作成される（ステップＳ８０３）。
【００２５】
次に、ＲＦＩＤタグ１７における収納フラグ３６の値が判別される（ステップＳ８０４）。収納フラグ３６の値が０である場合には、冷蔵庫１１に食品が収納されていない状態である。一方、収納フラグ３６の値が１である場合には、冷蔵庫１１に食品が収納されている状態である。そのため、食品の包装等に付されているＲＦＩＤタグ１７が冷蔵庫１１に備えられているＲＦＩＤタグリーダライタ１８を通過した際に、収納フラグ３６の値が０の場合には、これから冷蔵庫１１に収納されることを意味しており、冷蔵庫１１に収納される際に、収納フラグ３６の値が１に変更される（ステップＳ８０５）。
【００２６】
次に、食品ＩＤ３２と賞味期限３４とが連結されることにより作成されたキー３１について、購入食品管理ＤＢのキー３１と同じものが存在するか否かが判別される（ステップＳ８０６）。購入食品管理ＤＢのキー３１と同じものが存在しない場合には、冷蔵庫１１に、同じ食品で賞味期限も同じものが存在していない状態であり、新しく購入食品管理ＤＢにデータが登録される（ステップＳ８０７）。一方、購入食品管理ＤＢのキー３１と同じものが存在する場合には、既に同じ食品で賞味期限も同じものが存在するという状態であり、購入食品管理ＤＢにも同じキー３１で登録済みであるため、同じキー３１に対応する食品の個数３５がインクリメントされる（ステップＳ８０８）。
【００２７】
ステップＳ８０４において、収納フラグ３６の値が１である場合には、既に冷蔵庫１１に食品が収納されている状態である。そのため、冷蔵庫１１から食品が取り出される際に、収納フラグ３６は０に変更される（ステップＳ８０９）。次に、食品ＩＤ３２と賞味期限３４とが連結されることにより作成されたキー３１と、購入食品管理ＤＢのキー３１が同じである食品の個数３５について判断される（ステップＳ８１０）。
【００２８】
食品の個数３５が、１個である場合には、冷蔵庫１１には他に同じ食品で賞味期限３４も同じものが存在していないという状態である。このとき、冷蔵庫１１から食品を取り出した場合、冷蔵庫１１には、同じ食品で賞味期限３４も同じものが存在しなくなるため、購入食品管理ＤＢからデータが削除される（ステップＳ８１１）。食品の個数３５が、２個以上である場合には、まだ同じ食品で賞味期限３４も同じものが存在している状態である。このとき、冷蔵庫１１から食品が取り出された場合、冷蔵庫１１には、同じ食品で賞味期限３４も同じものが、まだ存在しているため、購入食品管理ＤＢの同じキー３１に対応する食品の個数３５がデクリメントされる（ステップＳ８１２）。
【００２９】
次に、冷蔵庫の表示部２０にレシピが表示される際の表示処理について説明する。
図９に示すように、まず冷蔵庫１１に収納されている食品として、購入食品管理ＤＢからすべての食品データが賞味期限の近いもの順に取得される（ステップＳ９０１）。次に、取得された食品データが冷蔵庫１１の表示部２０に表示される（ステップＳ９０２）。表示部２０には、食品毎にレシピボタンが表示されており、当該レシピボタンが押されたか否かについて判断される（ステップＳ９０３）。レシピボタンが押されたと判断された場合、選択された食品ＩＤ３２に対応するレシピに関する情報の取得要求が冷蔵庫１１からインターネット１６を介して接続されているサーバ１３に送信される（ステップＳ９０４）。
【００３０】
サーバ１３では、送信された食品ＩＤ３２に対応するレシピ情報がレシピ管理ＤＢに存在するか否かについて判断される（ステップＳ９０５）。そして、レシピ管理ＤＢにデータが存在する場合には、使用食品ＩＤ３２が取得されるとともに、使用食品ＩＤ３２に対応する食品の情報が、食品管理ＤＢから取得される。次に、レシピで使用される食品の合計金額が食品の価格３７を利用して計算される（ステップＳ９０６）。
【００３１】
一方、冷蔵庫１１から送信された食品ＩＤ３２に対応するレシピ情報が、レシピ管理ＤＢに存在しない場合には、使用食品に対応する食品管理ＤＢの特売フラグ３８の値が１である使用食品の多く存在する順にレシピのデータが整列される（ステップＳ９０７）。店舗１４で特売として扱われている食品の特売フラグ３８には１が設定されている。次に、サーバ１３から冷蔵庫１１に、食品ＩＤ３２、食品名３３、価格３７、レシピ３９、使用される食品の食品ＩＤ３２、使用される食品の食品名３３、使用される食品の価格３７、特売フラグ３８、合計金額の各データが送信される。
【００３２】
次に、図１０に示すように、冷蔵庫１１では、サーバ１３から送信された使用食品ＩＤ３２が購入食品管理ＤＢに必要な個数だけ存在するか否かが判断される（ステップＳ９０９）。そして、購入食品管理ＤＢに同じ食品ＩＤ３２が必要な個数だけ存在する場合には、サーバ１３から取得された合計金額から、使用食品ＩＤ３２の使用食品の価格３７が差し引かれる（ステップＳ９１０）。これは、レシピの合計金額が冷蔵庫１１の表示部２０に表示される際に、既に冷蔵庫１１に収納されている食品は、購入する必要がないため、その食品の価格を合計金額から差し引く必要があるためである。
【００３３】
次に、購入食品管理ＤＢに同じ食品ＩＤ３２が存在する場合には、サーバ１３から送信された使用食品ＩＤ３２がレシピの使用食品から対象外とされる。これは、レシピの使用食品が表示部２０に表示される際に、既に冷蔵庫１１に収納されている食品は購入する必要がないため、その食品を表示部２０に表示しないようにするためである。
【００３４】
一方、ステップＳ９０９において、購入食品管理ＤＢに同じ食品ＩＤ３２が必要な個数だけ存在しないと判断された場合には、対象外となった使用食品ＩＤ３２で購入食品管理ＤＢが検索されるとともに、賞味期限３４に関する情報が取得される（ステップＳ９１２）。次に、対象外ではない使用食品の件数が少なく、対象外ではない使用食品の賞味期限３４が賞味期限切れに近い順に整列される（ステップＳ９１３）。これは、表示部２０にレシピが表示される際の表示順序となる。次に、表示部２０にレシピ、使用食品、レシピの合計金額が表示される（ステップＳ９１４）。
【００３５】
次に、冷蔵庫１１において購入された食品がＩＣカード２３に記憶される際の処理について説明する。
図１１に示すように、まず冷蔵庫１１の表示部２０にレシピ、使用食品、レシピの合計金額が表示された場合に、表示部２０に表示されているレシピ確定ボタンが押されたか否かが判断される（ステップＳ１１１）。レシピ確定ボタンが押されたと判断された場合、購入される食品名３３、購入される食品の価格３７が表示部２０に表示される（ステップＳ１１２）。次に、表示部２０に表示された購入ボタンが押された否かが判断される（ステップＳ１１３）。
【００３６】
次に、購入食品に関する情報を移動体記憶装置１２に記憶するために、ＩＣチップ２２の翳し要求が表示部２０に表示される（ステップＳ１１４）。次に、移動体記憶装置１２がＩＣチップリーダライタ２１に翳されたか否かが判別される（ステップＳ１１５）。移動体記憶装置１２がＩＣチップリーダライタ１１に翳されたと判断された場合には、購入食品の食品ＩＤ３２、食品名３３、個数３５に関する情報が書き込まれる（ステップＳ１１６）。書き込みが完了した後、表示部２０に書き込み完了のメッセージが表示される（ステップＳ１１７）。
【００３７】
次に、店舗１４に備えられているカート１５で購入食品が当該カート１５に記憶される際の処理方法について説明する。
図１２に示すように、まずカート１５のカート表示部２７に、移動体記憶装置１２の翳し要求メッセージが表示される（ステップＳ１２１）。次に、移動体記憶装置１２がＩＣチップリーダライタ２６に翳されたか否かが判断される（ステップＳ１２２）。移動体記憶装置１２が翳されたと判断された場合、食品ＩＤ３２、食品名３３、個数３５がＩＣチップ２２から読み込まれる（ステップＳ１２３）。例えば、食品ＩＤ３２に、「0400000701（鶏肉（200g））」と「0600000012（讃岐うどん）」とが存在する場合には、当該２件の情報が一括してＩＣチップ２２に読み込まれる（以降、購入食品一覧とする）。
【００３８】
次に、読み込まれた購入食品の情報を１件ずつ処理するために、ＩＣチップ２２から読み込まれた購入食品の情報が存在するか否かについて判断される（ステップＳ１２４）。ＩＣチップから読込んだ購入食品の情報が存在する場合は、購入食品の食品名３３と購入する個数３５と購入食品の販売位置とがカート１５のカート表示部２７に表示される（ステップＳ１２５）。このカート表示部２７では、次のイベントが発生するまで待ち状態となる。イベントには、購入食品がカート１５に記憶された場合、キャンセルボタンが押された場合、次へボタンが押された場合等がある。
【００３９】
購入食品がカート１５に記憶された場合のイベントは、消費者がカート表示部２７に表示されている食品の販売位置まで行き、購入食品をカート１５にいれた場合に発生する。購入食品の個数によって、購入食品の一覧の削除処理が判断される。購入食品が２個以上である場合には、カート１５に購入食品が１個ずつ入れられていくに従って、購入食品一覧の個数３５を１個ずつ減らしていく。一方、購入食品一覧における購入食品が１個である場合には、購入食品一覧から購入食品のデータが削除される。
【００４０】
カート１５においてキャンセルボタンが押された場合のイベントは、消費者によって購入の予定されていた食品の購入が中止された場合に発生する。そのため、購入食品一覧からキャンセルされた購入食品が削除される。
次へボタンが押された場合のイベントは、消費者によってカート表示部２７に表示されている食品を保留して、次の食品が参照された場合に発生する。そのため、次へボタンのイベントでは、購入食品一覧から購入食品の削除は行われない。
すべての食品一覧に対して、前記の処理が完了すると、カート表示部２７に購入食品完了メッセージが表示される（ステップＳ１２６）。
【００４１】
次に、冷蔵庫において実行される表示処理（図９のステップＳ９０２）における冷蔵庫１１の食品一覧を示す画面例を説明する。
図１３に示すように、冷蔵庫の食品一覧を示す画面は、食品名５１、賞味期限５２、個数５３、レシピボタン５４で構成される。レシピボタン５４が押下されることによって、レシピ画面へと移行される。
【００４２】
次に、冷蔵庫１１の表示部２０に表示されるレシピを示す画面について説明する。図１４に示すように、レシピ表示画面には、レシピ名５５、選択食品名５６、レシピの合計金額５７、使用食品名５８、個数５９、レシピ６０、レシピ確定ボタン６１、次へボタン６２、前へボタン６３で構成される。選択食品名５６は、図１３に示す冷蔵庫の食品一覧の食品名５１に対応している。使用食品名５８については、レシピを作るに際して冷蔵庫１１に収納されている食品で足りていないもののみが表示される。また、合計金額５７には、購入しなければならない食品の合計額が表示される。レシピ確定ボタン６１が押下されると、購入食品の選択画面へと移行される。次へボタン６２、前へボタン６３が押下されると、次のレシピ又は前のレシピが表示される。
【００４３】
次に、冷蔵庫１１で購入食品が選択される際の画面について説明する。図１５に示すように、冷蔵庫での購入食品が選択される画面には、選択レシピ名６４、購入食品名６５、個数６６、価格６７、選択チェックボックス６８、一括選択ボタン６９、購入ボタン７０、キャンセルボタン７１で構成される。選択レシピ名６４は、図１４におけるレシピ名５５に対応している。購入食品名６５、個数６６、価格６７には、購入する食品の各情報が表示されている。
【００４４】
チェックボックス６８は、購入する食品とするか否かを選択するものであり、チェックされると、移動体記憶装置１２への書込み対象データとなる。また、一括選択ボタン６９が押下されると、表示されているすべての購入食品のチェックボックス６８がチェックされる。購入ボタン７０が押下されると、購入食品が決定され、移動体記憶装置１２に書込まれる。キャンセルボタン７１が押下されると、図１４の冷蔵庫１１でのレシピを示す画面へと移行される。
【００４５】
次に、カート１５のカート表示部２７に表示される画面について説明する。
図１６に示すように、カート１５のカート表示部２７に表示される画面には、購入食品名７２、店舗地図７３、購入食品販売位置７４、次へボタン７５、キャンセルボタン７６が表示される。当該画面は、図１２におけるステップＳ１２５の処理で表示される。
購入食品名７２は、図１５における購入食品名６５に対応する。店舗地図７３は、販売位置を示すための店舗の全体地図である。購入食品販売位置７４は購入食品名７２が陳列されている位置を示している。次へボタン７５が押下されると、次の購入食品の購入食品名７２、店舗地図７３、購入食品販売位置７４が表示される。キャンセルボタン７６が押下されると、現在表示されている購入食品が購入対象外となる。
なお、上記実施の形態は、以下のように変更して実施してもよい。
・移動体記憶装置１２はＩＣカード２３に限られず、ＩＣチップ２２が搭載されている移動体端末等であってもよい。
【図面の簡単な説明】
【００４６】
【図１】食品購入管理支援システムのシステム構成図。
【図２】冷蔵庫の購入食品管理ＤＢに記憶されるデータの構成図。
【図３】食品が冷蔵庫に存在していない場合の、食品に搭載されているＲＦＩＤタグのデータの構成図。
【図４】食品が冷蔵庫に記憶している場合の、食品に搭載されているＲＦＩＤタグのデータの構成図。
【図５】ＩＣカードに記憶されるデータの構成図。
【図６】サーバの食品管理ＤＢに記憶されるデータの構成図。
【図７】サーバのレシピ管理ＤＢに記憶されるデータの構成図。
【図８】冷蔵庫への食品の記憶、取り出しの概要を示すフローチャート。
【図９】冷蔵庫でのレシピ表示の概要を示すフローチャート。
【図１０】冷蔵庫でのレシピ表示の概要を示すフローチャート。
【図１１】冷蔵庫での購入食品をＩＣカードに記憶する概要を示すフローチャート。
【図１２】店舗のカートで購入食品を記憶する概要を示すフローチャート。
【図１３】冷蔵庫の食品一覧を示す画面。
【図１４】冷蔵庫でのレシピを示す画面。
【図１５】冷蔵庫での購入食品を選択する画面。
【図１６】店舗でカートに設置してある画面。
【図１７】買い物ナビカートのシステム構成図。
【図１８】EXPRESS POSのシステム構成図。
【符号の説明】
【００４７】
１１…冷蔵庫、１２…移動体記憶装置、１３…サーバ、１５…カート、１８…ＲＦＩＤタグリーダライタ、１９…記憶手段としての購入食品管理部、２１…ＩＣチップリーダライタ、２０…表示部、２７…カート表示部。
【図１】
2008242911.tif 000003
【図２】
2008242911.tif 000004
【図３】
2008242911.tif 000005
【図４】
2008242911.tif 000006
【図５】
2008242911.tif 000007
【図６】
2008242911.tif 000008
【図７】
2008242911.tif 000009
【図８】
2008242911.tif 000010
【図９】
2008242911.tif 000011
【図１０】
2008242911.tif 000012
【図１１】
2008242911.tif 000013
【図１２】
2008242911.tif 000014
【図１３】
2008242911.tif 000015
【図１４】
2008242911.tif 000016
【図１５】
2008242911.tif 000017
【図１６】
2008242911.tif 000018
【図１７】
2008242911.tif 000019
【図１８】
2008242911.tif 000020